(57)【要約】【課題】  災害時、携帯電話端末の設定など事前準備を必要とせず、各々の携帯電話端末に最適な情報を配信できる緊急情報配信システムを提供すること。【解決手段】  火災報知装置１０は、火災発生時、少なくとも、災害の状況と災害発生地点の情報が含まれた火災発生通知を、基地局３０を介して緊急情報サーバ２０へ送信する。緊急情報サーバ２０の災害情報受信部２１０は、火災報知装置１０から受信した火災発生通知を緊急情報作成部２３０に送信する。緊急情報作成部２３０は、受信した火災発生通知を分析し、災害の状況と災害発生地点の情報に基づき、緊急情報と配信範囲情報を作成し、情報配信部２２０に送信する。情報配信部２２０は、受信した配信範囲情報で決定された配信範囲の基地局（例えば基地局３１）へ緊急情報を送信する。基地局３１は、受信した緊急情報を、基地局のセルに在圏する全ての携帯電話端末に対して配信する。【選択図】      図１
2014060565.tif 000002
【特許請求の範囲】
【請求項１】
災害発生地点の情報を含む災害発生通知に基づき、緊急情報と、その緊急情報を配信する範囲を決定する配信範囲情報を生成し、前記配信範囲情報で決定される範囲内の基地局に配信する緊急情報サーバと、
災害発生時、前記災害発生通知を前記緊急情報サーバへ送信する災害報知装置と、
前記緊急情報サーバから配信された前記緊急情報を受信し、エリア内の移動体通信端末に対して緊急情報を出力する基地局と、
を含む緊急情報配信システム。
【請求項２】
前記緊急情報を受信した前記移動体通信端末から前記移動体通信端末の位置を示す位置情報を含む詳細情報要求通知を前記緊急情報サーバが受信し、前記緊急情報サーバが、前記災害発生通知に含まれる災害発生地点の情報と前記位置情報に基づいた詳細情報を作成し、前記移動体通信端末に配信する請求項１記載の緊急情報配信システム。
【請求項３】
前記詳細情報は、少なくとも前記移動体通信端末の位置から避難場所への避難ルート情報を含む請求項２に記載の緊急情報配信システム。
【請求項４】
災害報知装置からの災害発生通知をネットワークを介して受信する災害情報受信部と、
前記災害発生通知に基づき、緊急情報とその緊急情報を配信する範囲を決定する配信範囲情報を生成し、前記情報配信部に出力する緊急情報作成部と、
前記配信範囲情報で決定される配信範囲内の基地局に緊急情報を配信し、各々の基地局のエリア内の移動体通信端末に緊急情報を配信するよう指示する情報配信部と、
を含む緊急情報サーバ。
【請求項５】
前記災害発生通知と前記移動体通信端末の位置情報の情報に基づき、詳細情報を作成し、前記情報配信部を介して前記移動体通信端末に送信する詳細情報作成部をさらに有し、前記移動体通信端末から詳細情報要求通知を受信した場合、前記移動体通信端末の位置情報に基づいた詳細情報を配信する請求項４に記載の緊急情報サーバ。
【請求項６】
前記詳細情報は、少なくとも前記移動体通信端末の位置から避難場所への避難ルート情報を含む請求項５に記載の緊急情報サーバ。
【請求項７】
災害発生時、災害報知装置が、少なくとも災害発生地点の情報が含まれる災害発生通知を緊急情報サーバへ送信し、
前記緊急情報サーバが、前記災害発生通知に基づき、緊急情報とその緊急情報を配信する範囲を決定する配信範囲情報を作成し、その配信範囲内の基地局に前記緊急情報を送信し、
前記基地局が、エリア内の移動体通信端末に対して前記緊急情報を配信する
緊急情報配信方法。
【請求項８】
緊急情報配信後、前記緊急情報を受信した前記移動体通信端末から詳細情報要求通知を受信した場合、前記緊急情報サーバが、災害の状況と災害発生地点の情報と前記移動体通信端末の位置情報に基づいた詳細情報を作成し、前記移動体通信端末に配信する請求項７記載の緊急情報配信方法。
【請求項９】
前記詳細情報は、少なくとも前記移動体通信端末の位置からの避難ルート情報を含む請求項８に記載の緊急情報配信方法。
【請求項１０】
災害発生時、災害報知装置から、少なくとも災害発生地点の情報が含まれる災害発生通知を受信し、
前記災害発生情報に基づき、緊急情報とその緊急情報を配信する範囲を決定する配信範囲情報を作成し、決定される配信範囲内の基地局に前記緊急情報を送信する処理
を緊急情報サーバに実行させるプログラム。
【発明の詳細な説明】
【技術分野】
【０００１】
本発明は、災害発生時に情報配信する緊急情報配信システム、緊急情報サーバ、緊急情報配信方法、及びそのためのプログラムに関する。
【背景技術】
【０００２】
情報配信システムにおいて、緊急時に自動で情報伝達するシステムが知られている。
【０００３】
緊急情報伝達システムの一例が特許文献１に記載されている。特許文献１に記載された緊急情報伝達システムは、緊急通報専用の共通番号又は記号を携帯電話端末に付与する。携帯電話端末がその番号宛の緊急通報信号を受信した場合、携帯電話端末にて警報動作を行う。その警報動作に応答して、緊急情報伝達システムは、避難場所や危険場所の情報を自動的に携帯電話端末に提供する。
【先行技術文献】
【特許文献】
【０００４】
【特許文献１】特開２００９−１８２９２９号公報
【発明の概要】
【発明が解決しようとする課題】
【０００５】
しかしながら、上述した特許文献１に記載された技術は、同じ無線基地局のカバーエリア内の携帯電話端末には一律に同じ情報が提供されるため、無線基地局のカバーエリアが細かく設定されず広いカバーエリアが設定されている場合、避難場所や危険場所の情報が必ずしも携帯電話端末のユーザにとって適切でない可能性がある。したがって、特許文献１に記載された技術は、各々の携帯電話端末に最適な情報が伝達されないという問題点がある。また、上述した特許文献１に記載された技術は、緊急通報専用の共通番号又は記号を携帯電話端末に事前に付与する必要がある。したがって、特許文献１に記載された技術は、事前の緊急通報専用の共通番号又は記号の付与が無い携帯電話端末には情報を伝達できないという問題点がある。
【０００６】
本発明の目的の一例は、上述した問題点を解決できる緊急情報配信システム、緊急情報サーバ、緊急情報配信方法およびプログラムを提供することにある。
【課題を解決するための手段】
【０００７】
本発明の一形態における緊急情報配信システムは、災害発生地点の情報を含む災害発生通知に基づき、緊急情報と、その緊急情報を配信する範囲を決定する配信範囲情報を生成し、前記配信範囲情報で決定される範囲内の基地局に配信する緊急情報サーバと、災害発生時、前記災害発生通知を前記緊急情報サーバへ送信する災害報知装置と、前記緊急情報サーバから配信された前記緊急情報を受信し、エリア内の移動体通信端末に対して緊急情報を出力する基地局と、を含む。
【０００８】
本発明の一形態における緊急情報サーバは、災害報知装置からの災害発生通知をネットワークを介して受信する災害情報受信部と、前記災害発生通知に基づき、緊急情報とその緊急情報を配信する範囲を決定する配信範囲情報を生成し、前記情報配信部に出力する緊急情報作成部と、前記配信範囲情報で決定される配信範囲内の基地局に緊急情報を配信し、各々の基地局のエリア内の移動体通信端末に緊急情報を配信するよう指示する情報配信部と、を含む。
【０００９】
本発明の一形態における緊急情報配信方法は、災害発生時、災害報知装置が、少なくとも災害発生地点の情報が含まれる災害発生通知を緊急情報サーバへ送信し、前記緊急情報サーバが、前記災害発生通知に基づき、緊急情報とその緊急情報を配信する範囲を決定する配信範囲情報を作成し、その配信範囲内の基地局に前記緊急情報を送信し、前記基地局が、エリア内の移動体通信端末に対して前記緊急情報を配信する。
【００１０】
本発明の一形態におけるプログラムは、緊急情報サーバに、災害発生時、災害報知装置から、少なくとも災害発生地点の情報が含まれる災害発生通知を受信し、前記災害発生情報に基づき、緊急情報とその緊急情報を配信する範囲を決定する配信範囲情報を作成し、その配信範囲内の基地局に前記緊急情報を送信する処理を緊急情報サーバに実行させる。
【発明の効果】
【００１１】
本発明によれば、移動体通信端末の設定など事前準備を必要とせず、各々の移動体通信端末に最適な情報を配信できるという効果が得られる。
【図面の簡単な説明】
【００１２】
【図１】図１は、本発明の第１の実施形態の構成を示すブロック図である。
【図２】図２は、第１の実施の形態および第２の実施の形態における緊急情報サーバ２０、２１をコンピュータ装置とその周辺装置で実現したハードウェア構成を示す図である。
【図３】図３は、第１の実施の形態における緊急情報配信システム１の緊急情報配信動作を示すフローチャートである。
【図４】図４は、本発明の第２の実施形態の構成を示すブロック図である。
【図５】図５は、第２の実施の形態における緊急情報配信システム２の詳細情報配信動作を示すフローチャートである。
【発明を実施するための形態】
【００１３】
次に、本発明の実施形態について図面を参照して詳細に説明する。
【００１４】
［第１の実施の形態］
図１は、本発明の第１の実施の形態における緊急情報配信システム１の構成を示すブロック図である。第１の実施の形態および後述の第２の実施の形態では火災の災害が発生した場合を想定して説明する。図１を参照すると、緊急情報配信システム１は、緊急情報サーバ２０と、基地局３０、３１と、災害報知装置である火災報知装置１０と、を備える。
【００１５】
基地局３０、３１は、それぞれの基地局に在圏する複数の移動体通信端末である携帯電話端末および火災報知装置１０と接続し、無線通信を行う。また基地局３０、３１は、ネットワーク５０に接続される。
【００１６】
さらに、基地局３０、３１は、緊急情報サーバ２０で作成された緊急情報をネットワーク５０から受信した場合、エリア内の携帯電話端末に対して緊急情報を配信する。図１では火災報知装置１０と接続する基地局３０、携帯電話端末４０と接続する基地局３１を代表して図示し、その他の端末は省略する。
【００１７】
火災報知装置１０は、火災発生時、緊急情報サーバ２０へ送信する火災発生通知を基地局３０に出力する。火災発生通知には少なくとも、災害の状況と災害発生地点の情報が含まれる。災害の状況の情報は、少なくとも火災発生の検知を含む。すなわち火災報知装置１０が内蔵するセンサによる火災感知、あるいは火災発見者による火災報知装置１０の報知ボタン押下でもよい。また、図示しない検知装置により、延焼など被災地域の拡大が確認できる場合は、その情報も災害の状況の情報に含むことができる。
【００１８】
緊急情報サーバ２０は、災害情報受信部２１０と、情報配信部２２０と、緊急情報作成部２３０とで構成され、ネットワーク５０を介してそれぞれの基地局３０、３１に接続される。
【００１９】
災害情報受信部２１０は、火災報知装置１０からの火災発生通知をネットワーク５０を介して受信する。また、災害情報受信部２１０は、受信した火災発生通知を緊急情報作成部２３０に出力する。
【００２０】
情報配信部２２０は、緊急情報作成部２３０から緊急情報と配信範囲情報を受信し、配信範囲情報で指定された配信範囲に含まれる全ての基地局を決定する。さらに、情報配信部２２０は、各々の基地局が接続している全ての携帯端末に緊急情報を配信するよう指示する制御情報を出力してもよい。
【００２１】
緊急情報作成部２３０は、災害情報受信部２１０から受信した火災発生通知を分析し、災害の状況と災害発生地点の情報に基づき、緊急情報と配信範囲情報を作成し、情報配信部２２０に送信する。
【００２２】
図２は、本発明の第１の実施の形態における緊急情報サーバ２０をコンピュータおよびその周辺装置で実現したハードウェア構成を示す図である。図２に示されるように、緊急情報サーバ２０は、通信インタフェース２００、ＣＰＵ２０１、出力装置２０２、入力装置２０３、主記憶装置２０４、二次記憶装置２０５を含む。
【００２３】
通信インタフェース２００は、ネットワーク５０との接続制御のためのインタフェースを含む。通信インタフェース２００は、災害情報受信部２１０および情報配信部２２０の機能を含んでも良い。
【００２４】
ＣＰＵ２０１は、オペレーティングシステムを動作させて本発明の第一の実施の形態に係る緊急情報サーバ２０の全体を制御する。また、ＣＰＵ２０１は、例えば二次記憶装置２０５から主記憶装置２０４にプログラムやデータを読み出す。そして、ＣＰＵ２０１は、第一の実施の形態における緊急情報作成部２３０として機能し、プログラム制御に基づいて各種の処理を実行する。
【００２５】
出力装置２０２は、例えばディスプレイ、表示器で実現され、出力を確認するために用いられる。
【００２６】
入力装置２０３は、例えばマウスやキーボード、内蔵のキーボタンなどで実現され、入力操作に用いられる。入力装置２０３は、マウスやキーボード、内蔵のキーボタンに限らず、例えばタッチパネルでもよい。
【００２７】
二次記憶装置２０５は、例えば光ディスク、フレキシブルディスク、磁気光ディスク、外付けハードディスク、または半導体メモリ等であって、コンピュータプログラムをコンピュータ読み取り可能に記録する。また、コンピュータプログラムは、通信網に接続されている図示しない外部コンピュータからダウンロードされてもよい。
【００２８】
なお、第１の実施の形態の説明において利用されるブロック図（図１）には、ハードウェア単位の構成ではなく、機能単位のブロックが示されている。これらの機能ブロックは図２に示されるハードウェア構成によって実現される。ただし、緊急情報サーバ２０が備える各部の実現手段は特に限定されない。すなわち、緊急情報サーバ２０は、物理的に結合した一つの装置により実現されてもよいし、物理的に分離した二つ以上の装置を有線または無線で接続し、これら複数の装置により実現されてもよい。
【００２９】
また、ＣＰＵ２０１は、二次記憶装置２０５に記録されているコンピュータプログラムを読み込み、そのプログラムにしたがって、緊急情報作成部２３０として動作してもよい。
【００３０】
また、前述のプログラムのコードを記録した記録媒体（または記憶媒体）が、緊急情報サーバ２０に供給され、緊急情報サーバ２０が記録媒体に格納されたプログラムのコードを読み出し実行してもよい。すなわち、本発明は、第１の実施の形態における緊急情報サーバ２０が実行するためのソフトウェア（緊急情報配信プログラム）を一時的に記憶するまたは非一時的に記憶する二次記憶装置２０５も含む。
【００３１】
以上のように構成された緊急情報配信システム１の動作について、図３のフローチャートを参照して説明する。
【００３２】
図３は、第１の実施の形態における緊急情報配信システム１での緊急情報配信の動作の概要を示すフローチャートである。尚、このフローチャートによるステップＳ１０３からステップＳ１０５までの処理は、前述した緊急情報サーバ２０のＣＰＵによるプログラム制御に基づいて、実行されても良い。
【００３３】
図３に示すように、まず、火災報知装置１０は、火災発生時、少なくとも、災害の状況と災害発生地点の情報が含まれた火災発生通知を、基地局３０に出力する。これにより基地局３０は、ネットワーク５０を介して緊急情報サーバ２０へ火災発生通知を送信する（ステップＳ１０１）。災害の情報は、火災が検知されたことを示す情報でもよい。災害発生地点の情報は、予め火災報知装置１０に設定された情報でも良いし、火災報知装置１０がＧＰＳにより自動的に位置を検出したときに発生する位置情報でも良い。
【００３４】
次に、災害情報受信部２１０は、火災発生通知を受信し、緊急情報作成部２３０に送信する（ステップＳ１０２）。
【００３５】
次に、緊急情報作成部２３０は、受信した火災発生通知から災害の状況と災害発生地点の情報を検出し、災害の状況と災害発生地点の情報に基づき、緊急情報と配信範囲情報を作成する（ステップＳ１０３）。この場合の配信範囲情報とは、避難等の理由で災害の情報を緊急に配信する必要のある範囲のことで、受信した災害の状況に応じて緊急情報作成部２３０が配信範囲を決定する。
【００３６】
次に、緊急情報作成部２３０は、緊急情報と配信範囲情報を情報配信部２２０に送信する（ステップＳ１０４）。
【００３７】
次に、情報配信部２２０は、受信した配信範囲情報に指定された配信範囲内に位置するすべての基地局を決定し、さらにネットワーク５０を経由してそれら基地局へ緊急情報を送信する（ステップＳ１０５）。さらに情報配信部２２０は、ネットワーク５０を経由してそれら基地局へ基地局配信範囲情報を送信するようにしてもよい。この場合の基地局配信範囲情報は各々の基地局のセルに在圏する全ての携帯電話を対象とする旨の内容の制御情報でもよい。
【００３８】
次に、基地局３１は、受信した緊急情報を、受信時点で基地局のセルに在圏する全ての携帯電話端末に対して配信する（ステップＳ１０６）。
【００３９】
以上で、緊急情報配信システム１は、緊急情報配信の動作を終了する。
【００４０】
次に、本発明の第１の実施の形態の効果について説明する。
【００４１】
上述した本実施形態における緊急情報配信システム１は、携帯電話端末の設定など事前準備を必要としない。
【００４２】
その理由は、以下のような構成を含むからである。即ち、第１に緊急情報作成部２３０は、災害の状況と災害発生地点の情報に基づき、緊急情報と配信範囲情報を作成する。第２に、情報配信部２２０は、配信範囲情報に指定された配信範囲の基地局へ緊急情報を送信する。第３に、基地局３１は、緊急情報を、受信時点で基地局のセルに在圏する全ての携帯電話端末に対して配信する。これにより、携帯電話端末は、配信範囲の基地局のセルに在圏していれば必ず配信されるので、緊急情報配信システム１は、携帯電話端末の緊急通知専用の番号情報の設定など事前準備を必要としないという効果が得られる。
【００４３】
［第２の実施形態］
次に、本発明の第２の実施形態について図面を参照して詳細に説明する。以下、本実施形態の説明が不明確にならない範囲で、前述の説明と重複する内容については説明を省略する。また、第２の実施の形態でも火災の災害が発生した場合を想定して説明する。
【００４４】
図４は、本発明の第２の実施形態に係る緊急情報配信システム２の構成を示すブロック図である。
【００４５】
図４を参照すると、本実施形態における緊急情報配信システム２は、第１の実施形態のそれと比べて、緊急情報サーバ２０の代わりに緊急情報サーバ２１を備える。緊急情報サーバ２１は、第１の実施形態の緊急情報サーバ２０に詳細情報作成部２４０を追加し、災害情報受信部２１０の代わりに災害情報受信部２１１を、情報配信部２２０の代わりに情報配信部２２１を、緊急情報作成部２３０の代わりに緊急情報作成部２３１を備える。
【００４６】
災害情報受信部２１１は、災害情報受信部２１０の構成に追加して、携帯電話端末４０からの詳細情報要求通知を受信した場合、詳細情報作成部２４０へ詳細情報要求通知を送信する機能を含む。
【００４７】
情報配信部２２１は、情報配信部２２０の構成に追加して、詳細情報作成部２４０から詳細情報と配信範囲情報を受信し、携帯電話端末４０が在圏するセルの基地局３１に詳細情報を送信する機能を含む。
【００４８】
緊急情報作成部２３１は、緊急情報作成部２３０の構成に追加して、受信した携帯電話端末の位置情報を取得する手段と、緊急情報作成部２３１にて作成する緊急情報に、取得された位置情報とともに避難ルートなどの詳細情報を要求する詳細情報要求通知を送信する手段を含む。この場合の取得手段で取得される携帯電話端末の位置情報は、ＧＰＳなどの測位システムが携帯電話端末に搭載されていれば測位情報、搭載されていない、もしくは機能していない場合は携帯電話端末が在圏するセルの基地局の位置情報など、どのような方法で取得される位置情報でも構わないが、なるべく高精度に携帯電話端末の位置を特定できることが望ましい。
【００４９】
詳細情報作成部２４０は、災害情報受信部２１１から受信した詳細情報要求通知を分析し、災害の状況と災害発生地点と携帯電話端末４０の位置情報の情報に基づき、避難ルート等の詳細情報と配信範囲情報を作成し、情報配信部２２１に送信する。
【００５０】
次に、緊急情報配信システム２の動作について図５に示すフローチャートを参照して説明する。
【００５１】
図５は、第２の実施の形態における緊急情報配信システム２での詳細情報配信の動作の概要を示すフローチャートである。尚、このフローチャートによるステップＳ２０３からステップＳ２０５、ステップＳ２０９からステップＳ２１１までの処理は、前述した緊急情報サーバ２１のＣＰＵによるプログラム制御に基づいて、実行されても良い。
【００５２】
図５に示すように、まず、火災報知装置１０は、火災発生時、少なくとも、災害の状況と災害発生地点の情報が含まれた火災発生通知を、基地局３０を介して緊急情報サーバ２１へ送信する（ステップＳ２０１）。
【００５３】
次に、災害情報受信部２１１は、受信した火災発生通知を緊急情報作成部２３１と、後述する詳細情報を作成する際に必要となるため、詳細情報作成部２４０にも送信する（ステップＳ２０２）。
【００５４】
次に、緊急情報作成部２３１は、受信した火災発生通知を分析し、災害の状況と災害発生地点の情報に基づき、緊急情報と配信範囲情報を作成する（ステップＳ２０３）。緊急情報には、避難ルートなどの詳細情報を要求するため、緊急情報を受信する携帯電話端末４０の位置情報を含んだ詳細情報要求通知を、基地局３０を介して緊急情報サーバ２１へ送信する手段を設ける。
【００５５】
次に、緊急情報作成部２３１は、緊急情報と配信範囲情報を情報配信部２２１に送信する（ステップＳ２０４）。
【００５６】
次に、情報配信部２２１は、受信した配信範囲情報に指定された配信範囲の基地局へ緊急情報を送信する（ステップＳ２０５）。この場合、情報配信部２２１は、基地局配信範囲情報として、各々の基地局のセルに在圏する全ての携帯電話を対象とする旨の制御情報を、緊急情報とともに送信してもよい。
【００５７】
次に、基地局３１は、受信した緊急情報を受信すると基地局のセルに在圏する全ての携帯電話端末に対して配信する（ステップＳ２０６）。
【００５８】
次に、緊急情報を受信した携帯電話端末４０が、緊急情報の内容に含まれた詳細情報要求通知を送信する手段を行使し、基地局３０を介して、災害情報受信部２１１が詳細情報要求通知を受信した場合（ステップＳ２０７でＹＥＳ）、災害情報受信部２１１は、詳細情報要求通知を詳細情報作成部２４０へ送信する（ステップＳ２０８）。なお、詳細情報要求通知を受信しない場合（ステップＳ２０７でＮＯ）、本動作はここで処理終了とする。
【００５９】
次に、詳細情報作成部２４０は、受信した詳細情報要求通知を分析し、災害の状況と災害発生地点と詳細情報要求通知に含まれる携帯電話端末の位置情報に基づき、避難ルート等の詳細情報と配信範囲情報を作成する（ステップＳ２０９）。詳細情報の一例として、詳細情報作成部２４０は、あらかじめ図示しないデータベース内に記憶されている地図情報を読み込み、携帯電話端末４０の周辺の一箇所ないし複数の避難場所を検索し、携帯電話端末４０の位置からその一箇所ないし複数の避難場所への最短の避難ルートを作成し、詳細情報とする。また、あらかじめ図示しないデータベース内に、避難行動の際に危険な状況となることが想定される地点の情報が含まれる場合（たとえば燃えやすい物体やガスボンベ等が多く、火災時の歩行に危険が伴う）、それらの補足情報を避難ルートとともに詳細情報に含んでもよい。この場合の配信範囲情報とは、詳細情報を要求した携帯電話端末４０を対象とする旨の内容である。
【００６０】
次に、詳細情報作成部２４０は、作成した詳細情報と配信範囲情報を情報配信部２２１に送信する（ステップＳ２１０）。
【００６１】
次に、情報配信部２２１は、受信した配信範囲情報に指定された配信範囲の基地局３１へ詳細情報と基地局配信範囲情報を送信する（ステップＳ２１１）。この場合の基地局配信範囲情報は、詳細情報を要求した携帯電話端末４０を対象とする旨の内容である。
【００６２】
次に、基地局３１は、受信した詳細情報を、基地局配信範囲情報の通り、詳細情報を要求した携帯電話端末４０に対して、携帯電話端末４０の表示装置に詳細情報の内容を表示するよう、配信する（ステップＳ２１２）。
【００６３】
以上で、緊急情報配信システム２は、詳細情報配信の動作を終了する。
【００６４】
次に、本発明の第２の実施の形態の効果について説明する。
【００６５】
上述した本実施形態における緊急情報配信システム２は、各々の携帯電話端末に最適な詳細情報を配信できる。
【００６６】
その理由は、以下のような構成を含むからである。即ち、第１に、緊急情報を受信した携帯電話端末４０から詳細情報要求通知を災害情報受信部２１１が受信した場合、詳細情報作成部２４０は、受信した詳細情報要求通知を分析し、災害の状況と災害発生地点と詳細情報要求通知に含まれた測位データなどの携帯電話端末の位置情報に基づき、避難ルート等の詳細情報と配信範囲情報を作成する。第２に、情報配信部２２１は、受信した配信範囲情報に指定された配信範囲の基地局３１へ詳細情報と基地局配信範囲情報を送信する。第３に、基地局３１は、受信した詳細情報を、基地局配信範囲情報の通り、詳細情報を要求した携帯電話端末４０に対して配信する。したがって、各々の携帯電話端末の位置情報に基づいた詳細情報を作成できるので、緊急情報配信システム２は、各々の携帯電話端末に最適な詳細情報を配信できるという効果が得られる。
【００６７】
［変形例］
上述の第１及び第２の実施の形態において、緊急情報配信システム１が、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で規定されているＬＴＥ（Ｌｏｎｇ  Ｔｅｒｍ  Ｅｖｏｌｕｔｉｏｎ）／ＳＡＥ（Ｓｙｓｔｅｍ  Ａｒｃｈｉｔｅｃｔｕｒｅ  Ｅｖｏｌｕｔｉｏｎ）の場合、緊急情報サーバ２０は、ＣＢＣ（Ｃｅｌｌ  Ｂｒｏａｄｃａｓｔ  Ｃｅｎｔｅｒ）およびＭＭＥ（Ｍｏｂｉｌｉｔｙ  Ｍａｎａｇｅｍｅｎｔ  Ｃｅｎｔｅｒ）を含んでもよい。さらに、ネットワーク５０には、ＣＢＥ（Ｃｅｌｌ  Ｂｒｏａｄｃａｓｔ  Ｅｎｔｉｔｙ）が接続されても良い。
【００６８】
ＭＭＥは、携帯電話端末の認証やセキュリティ、ユーザデータの設定等を分担する。ＣＢＣは配信先エリアの決定及び携帯電話端末に送信するメッセージを作成するサーバである。ＣＢＥは、ネットワーク５０及び火災報知装置１０に接続され、緊急報知情報を提供する情報発信元サーバである。ＣＢＥは例えば緊急地震速報を送信するときの気象庁のサーバなどの監視センタでもよい。ＣＢＥは、災害発生通知を、ネットワーク５０を経由してＣＢＣに出力しても良い。
【００６９】
ＣＢＣは、受信した火災発生通知を用いて、ＣＢＣが管理する基地局配下のセルの複数のセルＩＤ（配信範囲情報）を割り出し、緊急情報配信手順を実施するようＭＭＥに対して指示する。ＭＭＥは、たとえば基地局３１に緊急情報を転送して、エリア内の移動体通信端末に一斉同報するようにネットワーク経由で指示をする。
【００７０】
以上説明した、本発明の第１の実施の形態および第２の実施の形態では、火災の災害が発生した場合について説明したが、災害の種類は火災に限られない。たとえばガス漏れが発生した場合は、ガス検知報知器を災害報知装置とし、緊急情報の配信範囲を、ガス漏れが発生した施設内のみとすることが想定される。
【００７１】
また、本発明は自然災害にも適用できる。たとえば、地震災害が発生した場合は災害報知装置として、気象庁（上述のＣＢＥに該当）などに設置される地震計や緊急地震速報を採用する。避難行動の際に危険な状況となることが想定される地点の情報には斜面崩壊による土砂災害予測地点やガラスの破片が散乱する地点などが想定される。
【００７２】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００７３】
以上、各実施の形態を参照して本発明を説明したが、本発明は上記実施の形態に限定されるものではない。本発明の構成や詳細には、本発明のスコープ内で当業者が理解しえる様々な変更をすることができる。
【００７４】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００７５】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【００７６】
さらに、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【００７７】
さらに、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【００７８】
上記の実施形態の一部又は全部は、以下の付記のようにも記載されうるが、以下には限られない。
【００７９】
（付記１）災害発生地点の情報を含む災害発生通知に基づき、緊急情報と、その緊急情報を配信する範囲を決定する配信範囲情報を生成し、前記配信範囲情報で決定される範囲内の基地局に配信する緊急情報サーバと、災害発生時、前記災害発生通知を前記緊急情報サーバへ送信する災害報知装置と、前記緊急情報サーバから配信された前記緊急情報を受信し、エリア内の移動体通信端末に対して緊急情報を出力する基地局と、を含む緊急情報配信システム。
【００８０】
（付記２）前記緊急情報を受信した前記移動体通信端末から前記移動体通信端末の位置を示す位置情報を含む詳細情報要求通知を前記緊急情報サーバが受信し、前記緊急情報サーバが、前記災害発生通知に含まれる災害発生地点の情報と前記位置情報に基づいた詳細情報を作成し、前記移動体通信端末に配信する付記１記載の緊急情報配信システム。
【００８１】
（付記３）前記詳細情報は、少なくとも前記移動体通信端末の位置から避難場所への避難ルート情報を含む付記２に記載の緊急情報配信システム。
【００８２】
（付記４）災害報知装置からの災害発生通知をネットワークを介して受信する災害情報受信部と、前記災害発生通知に基づき、緊急情報とその緊急情報を配信する範囲を決定する配信範囲情報を生成し、前記情報配信部に出力する緊急情報作成部と、前記配信範囲情報で決定される配信範囲内の基地局に緊急情報を配信し、各々の基地局のエリア内の移動体通信端末に緊急情報を配信するよう指示する情報配信部と、を含む緊急情報サーバ。
【００８３】
（付記５）前記災害発生通知と前記移動体通信端末の位置情報の情報に基づき、詳細情報を作成し、前記情報配信部を介して前記移動体通信端末に送信する詳細情報作成部をさらに有し、前記移動体通信端末から詳細情報要求通知を受信した場合、前記移動体通信端末の位置情報に基づいた詳細情報を配信する付記４に記載の緊急情報サーバ。
【００８４】
（付記６）前記詳細情報は、少なくとも前記移動体通信端末の位置から避難場所への避難ルート情報を含む付記５に記載の緊急情報サーバ。
【００８５】
（付記７）災害発生時、災害報知装置が、少なくとも災害発生地点の情報が含まれる災害発生通知を緊急情報サーバへ送信し、前記緊急情報サーバが、前記災害発生通知に基づき、緊急情報とその緊急情報を配信する範囲を決定する配信範囲情報を作成し、その配信範囲内の基地局に前記緊急情報を送信し、前記基地局が、エリア内の移動体通信端末に対して前記緊急情報を配信する緊急情報配信方法。
【００８６】
（付記８）緊急情報配信後、前記緊急情報を受信した前記移動体通信端末から詳細情報要求通知を受信した場合、前記緊急情報サーバが、災害の状況と災害発生地点の情報と前記移動体通信端末の位置情報に基づいた詳細情報を作成し、前記移動体通信端末に配信する付記７記載の緊急情報配信方法。
【００８７】
（付記９）前記詳細情報は、少なくとも前記移動体通信端末の位置からの避難ルート情報を含む付記８に記載の緊急情報配信方法。
【００８８】
（付記１０）災害発生時、災害報知装置から、少なくとも災害発生地点の情報が含まれる災害発生通知を受信し、前記災害発生情報に基づき、緊急情報とその緊急情報を配信する範囲を決定する配信範囲情報を作成し、決定される配信範囲内の基地局に前記緊急情報を送信する処理を緊急情報サーバに実行させるプログラム。
【００８９】
（付記１１）緊急情報配信後、緊急情報を受信した前記移動体通信端末から詳細情報要求通知を受信した場合、前記緊急情報サーバが、災害の状況と災害発生地点の情報と前記移動体通信端末の位置情報に基づいた詳細情報を作成し、前記移動体通信端末に配信する処理をコンピュータに実行させる付記１０記載のプログラム。
【符号の説明】
【００９０】
１、２    緊急情報配信システム
１０    火災報知装置
２０、２１    緊急情報サーバ
３０、３１    基地局
４０    携帯電話端末
５０    ネットワーク
２００    通信インタフェース
２０１    ＣＰＵ
２０２    出力装置
２０３    入力装置
２０４    主記憶装置
２０５    二次記憶装置
２１０、２１１    災害情報受信部
２２０、２２１    情報配信部
２３０、２３１    緊急情報作成部
２４０    詳細情報作成部
【図１】
2014060565.tif 000003
【図２】
2014060565.tif 000004
【図３】
2014060565.tif 000005
【図４】
2014060565.tif 000006
【図５】
2014060565.tif 000007